【手続補正書】
【提出日】平成25年8月27日(2013.8.27)
【手続補正１】
【補正対象書類名】特許請求の範囲
【補正対象項目名】全文
【補正方法】変更
【補正の内容】
【特許請求の範囲】
【請求項１】
サーバからアプリケーションをダウンロードするユーザ端末機のアプリケーションダウンロードサービス方法であって、
ユーザ端末機情報及びアプリケーションカテゴリー選択情報をサーバに転送するステップと、
前記ユーザ端末機情報、前記アプリケーションカテゴリー選択情報、及びネットワーク情報に基づいて生成されたアプリケーションリストを受信するステップと、
前記アプリケーションリストを画面に表示するステップと、
を有することを特徴とするアプリケーションダウンロードサービス方法。
【請求項２】
前記ユーザ端末機情報は、
前記ユーザ端末機の製造社、モデル名、解像度、ＣＰＵ情報、ストレージ情報、格納機能容量、及びタッチスクリーン有無に関する情報のうち、少なくとも一つを含むことを特徴とする請求項１に記載のアプリケーションダウンロードサービス方法。
【請求項３】
前記ネットワーク情報は、
前記ユーザ端末機と前記サーバとの間に接続した複数のネットワークのうち、何れか一つの速度に関する情報を含むことを特徴とする請求項１に記載のアプリケーションダウンロードサービス方法。
【請求項４】
前記アプリケーションリストは、事業者情報をさらに考慮して生成され、
前記事業者情報は、
前記ユーザ端末機のサービスを提供する事業者によって提供されるアプリケーションに関連した情報であることを特徴とする請求項１に記載のアプリケーションダウンロードサービス方法。
【請求項５】
ユーザ情報を転送するステップをさらに有し、
前記アプリケーションリストは、前記ユーザ情報をさらに考慮して生成され、
前記ユーザ情報は、
前記ユーザ端末機を使用するユーザの購買履歴及び前記ユーザの選好度情報のうち、少なくとも一つを含むことを特徴とする請求項１に記載のアプリケーションダウンロードサービス方法。
【請求項６】
前記転送するステップは、
前記ユーザ端末機情報、前記ネットワーク情報、事業者情報、及びユーザ情報のうち、少なくとも一つに含まれた属性の各々に対して優先順位を設定して転送することを特徴とする請求項１に記載のアプリケーションダウンロードサービス方法。
【請求項７】
前記転送するステップは、
前記ユーザ端末機情報、前記ネットワーク情報、前記事業者情報、及び前記ユーザ情報のうち、少なくとも一つに含まれた属性の各々に対して優先順位を表すフラグを含めて転送することを特徴とする請求項６に記載のアプリケーションダウンロードサービス方法。
【請求項８】
前記表示するステップは、
前記アプリケーションリストを前記ユーザ端末機情報、前記アプリケーションカテゴリー選択情報、前記ネットワーク情報、事業者情報、及びユーザ情報のうち、少なくとも一つに含まれた属性毎に画面に表示することを特徴とする請求項１に記載のアプリケーションダウンロードサービス方法。
【請求項９】
サーバからアプリケーションをダウンロードするユーザ端末機であって、
複数のネットワークのうち、何れか一つを介して前記サーバに接続するためのネットワークインターフェースと、
アプリケーションカテゴリーの選択のための入力部と、
映像を表示するディスプレイ部と、
ユーザ端末機情報及びアプリケーションカテゴリー選択情報をサーバに転送し、前記ユーザ端末機情報、前記アプリケーションカテゴリー選択情報、及びネットワーク情報に基づいて生成されたアプリケーションリストを受信するように前記ネットワークインターフェースを制御し、前記アプリケーションリストが画面に表示されるように制御する制御部と、
を具備することを特徴とするユーザ端末機。
【請求項１０】
前記ユーザ端末機情報は、
前記ユーザ端末機の製造社、モデル名、解像度、ＣＰＵ情報、ストレージ情報、格納機能容量、及びタッチスクリーン有無に関する情報のうち、少なくとも一つを含むことを特徴とする請求項９に記載のユーザ端末機。
【請求項１１】
前記ネットワーク情報は、
前記ユーザ端末機と前記サーバとの間に接続した複数のネットワークのうち、何れか一つの速度に関する情報を含むことを特徴とする請求項９に記載のユーザ端末機。
【請求項１２】
前記アプリケーションリストは、事業者情報をさらに考慮して生成され、
前記事業者情報は、
前記ユーザ端末機のサービスを提供する事業者によって提供されるアプリケーションに関連した情報であることを特徴とする請求項９に記載のユーザ端末機。
【請求項１３】
前記制御部は、
ユーザ情報を前記サーバに転送するように制御し、
前記アプリケーションリストは、前記ユーザ情報をさらに考慮して生成され、
前記ユーザ情報は、
前記ユーザ端末機を使用するユーザの購買履歴及び前記ユーザの選好度情報のうち、少なくとも一つを含むことを特徴とする請求項９に記載のユーザ端末機。
【請求項１４】
前記制御部は、
前記ユーザ端末機情報、前記ネットワーク情報、事業者情報、及びユーザ情報のうち、少なくとも一つに含まれた属性の各々に対して優先順位が設定されて転送されるように制御することを特徴とする請求項９に記載のユーザ端末機。
【請求項１５】
前記制御部は、
前記ユーザ端末機情報、前記ネットワーク情報、前記事業者情報、及び前記ユーザ情報のうち、少なくとも一つに含まれた属性の各々に対して優先順位を表すフラグが含まれて転送されるように制御することを特徴とする請求項１４に記載のユーザ端末機。
【請求項１６】
前記制御部は、
前記アプリケーションリストを前記ユーザ端末機情報、前記ネットワーク情報、前記事業者情報、及び前記ユーザ情報のうち、少なくとも一つに含まれた属性毎に画面に表示されるように制御することを特徴とする請求項１４に記載のユーザ端末機。
【請求項１７】
ユーザ端末機にアプリケーションを提供するサーバのアプリケーション提供方法であって、
前記ユーザ端末機から前記ユーザ端末機情報及びアプリケーションカテゴリー選択情報を受信するステップと、
前記ユーザ端末機情報、前記アプリケーションカテゴリー選択情報、及びネットワーク情報を基に、既に格納されたアプリケーションのうち、少なくとも一つのアプリケーションを抽出するステップと、
前記抽出されたアプリケーションを利用してアプリケーションリストを生成し、前記アプリケーションリストを前記ユーザ端末機に転送するステップと、
を有することを特徴とするアプリケーション提供方法。
【請求項１８】
前記抽出するステップは、
前記ユーザ端末機情報に基づいて、前記格納されたアプリケーションのうち、前記ユーザ端末機で実行可能な少なくとも一つのアプリケーションを抽出することを特徴とする請求項１７に記載のアプリケーション提供方法。
【請求項１９】
前記抽出するステップは、
前記ネットワーク情報に基づいて、前記ネットワークの速度に応じて特定時間以内にダウンロードされうる少なくとも一つのアプリケーションを抽出することを特徴とする請求項１７に記載のアプリケーション提供方法。
【請求項２０】
前記抽出するステップは、
事業者情報に基づいて、前記ユーザ端末機のサービスを提供する事業者が提供できる少なくとも一つのアプリケーションを抽出することを特徴とする請求項１７に記載のアプリケーション提供方法。
【請求項２１】
前記ユーザ端末機からユーザ情報を受信するステップをさらに有し、
前記抽出するステップは、
前記ユーザ情報に基づいて、前記ユーザの購買履歴及び選好度に応じて少なくとも一つのアプリケーションを抽出することを特徴とする請求項１７に記載のアプリケーション提供方法。
【請求項２２】
前記ユーザの購買履歴及び選好度を格納するステップをさらに有し、
前記抽出するステップは、
前記格納されたユーザの購買履歴及び選好度に応じて、少なくとも一つのアプリケーションを抽出することを特徴とする請求項２１に記載のアプリケーション提供方法。
【請求項２３】
前記抽出するステップにてアプリケーションを抽出するための前記ユーザ端末機情報に関する条件及び前記ネットワーク情報に関する条件のうち、少なくとも一つを変更するステップをさらに含むことを特徴とする請求項１７に記載のアプリケーション提供方法。
【請求項２４】
ユーザ端末機にアプリケーションを提供するサーバであって、
複数のネットワークのうちの何れか一つを介して、前記ユーザ端末機と接続するネットワークインターフェースと、
前記ユーザ端末機からユーザ端末機情報及びアプリケーションカテゴリー選択情報を受信し、前記ユーザ端末機情報、前記アプリケーションカテゴリー選択情報、及びネットワーク情報に基づいて、格納されたアプリケーションのうち、少なくとも一つのアプリケーションを抽出し、前記抽出されたアプリケーションを利用してアプリケーションリストを生成し、前記アプリケーションリストを前記ユーザ端末機に転送するように前記ネットワークインターフェースを制御する制御部と、
を具備することを特徴とするサーバ。
【請求項２５】
前記制御部は、
前記ユーザ端末機情報に基づいて、前記格納されたアプリケーションのうち、前記ユーザ端末機で実行可能な少なくとも一つのアプリケーションを抽出することを特徴とする請求項２４に記載のサーバ。
【請求項２６】
前記制御部は、
前記ネットワーク情報に基づいて、前記ネットワークの速度に応じて特定時間以内にダウンロードされうる少なくとも一つのアプリケーションを抽出することを特徴とする請求項２４に記載のサーバ。
【請求項２７】
前記制御部は、
事業者情報に基づいて、前記ユーザ端末機のサービスを提供する事業者が提供できる少なくとも一つのアプリケーションを抽出するように制御することを特徴とする請求項２４に記載のサーバ。
【請求項２８】
前記制御部は、
前記ユーザ端末機からユーザ情報を受信し、
前記ユーザ情報に基づいて、前記ユーザの購買履歴及び選好度に応じて少なくとも一つのアプリケーションを抽出することを特徴とする請求項２４に記載のサーバ。
【請求項２９】
前記ユーザの購買履歴及び選好度を格納するデータベース部をさらに具備し、
前記制御部は、
前記格納されたユーザの購買履歴及び選好度に応じて少なくとも一つのアプリケーションを抽出することを特徴とする請求項２８に記載のサーバ。
【請求項３０】
前記ユーザ端末機情報に関する条件、前記ネットワーク情報に関する条件、及び前記アプリケーションカテゴリー選択情報に関する条件のうち、少なくとも一つを格納する格納部をさらに具備し、
前記制御部は、
前記ユーザ端末機情報に関する条件、前記ネットワーク情報に関する条件、及び前記アプリケーションカテゴリー選択情報に関する条件のうち、少なくとも一つを変更することを特徴とする請求項２４に記載のサーバ。